(57)【要約】【課題】使用時には組立てて使用し、使用後に折り畳むことができるペット用具を提供すること。【解決手段】四角形状の底部パネル１２と、前記底部パネル１２の四方向に隣設された側方壁部材群（１３〜１６）と、から構成されている。前記側方壁部材群の中の３枚の側方壁部材１３，１４，１５を起立させると、前記底部パネル１２を三方向から囲む壁部が形成される。また、対向する２枚の側方壁部材１４，１５を前記底部パネル１２側へ折り畳み、続いて、残りの２枚の側方壁部材の中の１枚１６を前記底部パネル１２側へ折り畳むことによって、前記排泄用シート１１を挟持状態で収容できる。【選択図】図１【特許請求の範囲】
【請求項１】
底部パネルと、
該底部パネルに隣設された側方壁部材群と、から構成され、
前記側方壁部材群を起立させることで、前記底部パネルを三方向又は四方向から囲いこんだ使用状態と、
所定位置で折り畳まれるか、又はロール状に丸められた収納状態と、
を取り得るペット用具。
【請求項２】
前記側方壁部材は、四方向一体に形成されており、
起立して前記底部パネルを囲う状態と、前記底部パネル側に倒伏した状態と、の両方を取り得ることを特徴とするペット用具。
【請求項３】
ペットの排泄用シートを設置するための四角形状の底部パネルと、  
前記底部パネルの四方向に隣設された側方壁部材群と、から構成されており、
前記側方壁部材群の中の３枚の側方壁部材を起立させると、前記底部パネルを三方向から囲む壁部が形成され、
対向する計２枚の側方壁部材を前記底部パネル側へ折り畳み、続いて、残りの２枚の側方壁部材の中の１枚を前記底部パネル側へ折り畳むことによって、前記排泄用シートを挟持状態で収容可能とされたことを特徴とする請求の範囲第１項記載のペット用具。
【請求項４】
前記壁部を構成する計３枚の前記側方壁部材は、該壁部形成状態を維持可能な固定手段を有することを特徴とする請求の範囲第３項記載のペット用具。
【請求項５】
前記側方壁部材は、前記挟持状態を維持可能な固定手段を有することを特徴とする請求の範囲第３項記載のペット用具。
【請求項６】
少なくとも１枚の側方壁部材には、手持ち部が設けられたことを特徴とする請求の範囲第５項記載のペット用具。
【請求項７】
前記底部パネルの対向する二辺の周辺に切り込み部がそれぞれ形成されており、
前記二辺の各辺に隣接する側方壁部材は、それぞれ二つ折り可能に形成されているとともに、これらの側方壁部材の外側端辺部には、二つ折り状態のときに前記切込み部へ挿入される突出部が設けられていることを特徴とする請求の範囲第３項記載のペット用具。
【請求項８】
前記突出部は、前記底部パネルに設置された前記排泄用シートの一部を押し込みながら前記切込み部へ挿入されることを特徴とする請求の範囲第３項記載のペット用具。
【請求項９】
ペット用トイレとして使用されることを特徴とする請求の範囲第１項記載のペット用具。
【発明の詳細な説明】
【技術分野】
【０００１】
本発明は、ペット用具に関する。より詳しくは、使用時には簡易に組み立てることができ、使用後は折り畳むことで、容易に収容や持ち運びができるペット用具に関する。
【背景技術】
【０００２】
犬やネコなどのペットを室内等で飼う場合、排泄物の処理のためペット用具が用いられることがある。例えば、排泄場所の周りに壁状のガードを設けて箱状とし、排泄物が飛散しないようにするもの等である（例えば、特許文献１参照。）。飼い主が旅行などにペットを連れて行く場合には、旅行先で使用するために、このようなペット用具を持参する場合も多い。【０００３】
また、ペットの排泄物が飛散しないように吸水性素材を用いたペットの排泄用シートが知られている（例えば、特許文献２参照）。この種の排泄用シートは、ペット用具の排泄場所に予め敷いておくことで、その吸収性により排泄物の飛散防止に役立つ。【０００４】
【特許文献１】特開平１０−２２５２４３号公報。
【特許文献２】特開２００２−７８７３８号公報。
【発明の開示】
【発明が解決しようとする課題】
【０００５】
旅先や訪問先などの外出先にペットを同伴する場合、外出先へペット用具を持参して使用する場合があるが、従来のペット用具は一定の成形体であるため、嵩張って持ち運び難いという問題点があった。また、外出先でペットの排泄用シートを使用した場合、汚れた前記排泄用シートを即座に廃棄できないことも多い。このような場合、排泄物が付着したペットの排泄用シートを袋詰め等して、自宅まで持ち帰らなければならなかった。【０００６】
本発明は、前記問題点を解決し得るペット用具、より詳しくはペットの排泄用シート等を設置でき、簡単に組み立てることができ、かつ、使用後は折り畳むことにより、そのまま持ち運びができるペット用具を提供することを主目的とする。
【課題を解決するための手段】
【０００７】
本発明は、展開と組立てが可能な形態であって、収容、運搬（携帯）等を簡単に行なうことができるペット用具を提供する。まず、本発明は、底部パネルと、該底部パネルに隣設された側方壁部材群と、から構成され、前記側方壁部材群を起立させることで、前記底部パネルを三方向又は四方向から囲いこんだ使用状態と、所定位置で折り畳まれるか、又はロール状に丸められた収納状態と、を取り得るペット用具を提供する。【０００８】
続いて、本発明は、前記側方壁部材は、四方向一体に形成されており、起立して前記底部パネルを囲う状態と、前記底部パネル側に倒伏した状態と、の両方を取り得ることを特徴とするペット用具を提供する。即ち、あらかじめ側方壁部材が起立した状態で四方向一体に形成されており、収納する際には、側方壁部材を展開する必要がなく、そのまま底部パネル側に倒伏することで収納状態とすることができる構造である。【０００９】
そして、本発明に係るペット用具は、ペットの排泄用シートを設置するための四角形状の底部パネルと、前記底部パネルの四方向に隣設された側方壁部材群と、から構成されている。そして、前記側方壁部材群の中の３枚の側方壁部材を起立させると、前記底部パネルを三方向から囲む壁部が形成される。対向する計２枚の側方壁部材を前記底部パネル側へ折り畳み、続いて、残りの２枚の側方壁部材の中の１枚を前記底部パネル側へ折り畳むことによって、前記排泄用シートを挟持状態で収容できる構成となっている。【００１０】
更に、前記壁部を構成する計３枚の前記側方壁部材は、前記壁部形成状態を維持可能な固定手段を有するものとし、また、前記側方壁部材は、前記挟持状態を維持可能な固定手段を有するものとすることによって、使用や運搬を容易にする。加えて、少なくとも１枚の側方壁部材に手持ち部を設けることで、運搬を更に容易にする。【００１１】
また、本発明では、前記底部パネルに対向する二辺の周辺に切込み部をそれぞれ形成しておくとともに、前記二辺の各辺に隣接する側方壁部材を、それぞれ二つ折り可能に形成し、これらの側方壁部材の外側端辺部には、二つ折り状態のときに前記切込み部へ挿入される突出部を設けるようにする。【００１２】
このような構成によって、前記突出部が、底部パネルに設置された排泄用シートの一部を押し込むように前記切込み部へ挿入されて、該排泄用シートを底部パネルに固定してズレが起こらないように工夫し、ペットが落ち着いて排泄できるようにする。
【発明の効果】
【００１３】
本発明に係るペット用具は、側方壁部材を起立等させて壁部を形成する作業によって簡単に組み立てることができ、使用形態とすることができる。このとき前記壁部は、ペットの排泄物の飛散等を有効に防止するとともに、ペットが位置する場所を明確に特定する役割等を果たすので、ペットが落ち着いて排泄することができる。また、使用しないときは、所定位置で折り畳むか、ロール状に丸めることでできるため嵩張らず、運搬や収納が容易である。更に、ペットが排泄した後の、排泄用シートや使用予定の排泄用シートをそのまま内部に収容して、そのまま持ち運ぶことも出来る。
【発明を実施するための最良の形態】
【００１４】
以下、本発明の実施形態について、添付図面を参照しながら説明する。なお、以下に説明する実施形態は、本発明の代表的な一例を示したものであり、これにより本発明の範囲が狭く解釈されることはない。また、本発明に係るペット用具は、犬やネコに限らず飼育動物に広く適用できる。【００１５】
まず、図１は、本発明の第１実施形態に係るペット用具の展開図である。この図１では、本発明の第１実施形態に係るペット用具１が展開状態で示されている。ペット用具１は、四角形状の底部パネル１２を備えるとともに、これに隣接する側方壁部材１３，１４，１５，１６を備え、パネル１６は、折り罫線１６１ａを挟んで連接するパネル１６１と１６２とから主に構成される。このうち、パネル１６１は、底部パネル１２とほぼ同じ形状及びサイズを有しているので、底部パネル１２上に側方壁部材１６を重ね合わせることができる。【００１６】
なお、本発明において使用するパネル群の材料は特に限定されないが、防水性や撥水性を有する材料、防水コーティングや撥水コーティングされた材料、防水性シートや撥水性シートが積層された材料等が、耐久性の点ではより好ましく、また、フッ素処理等の防汚加工が施された合成樹脂シート等も好ましい。素材としては、紙製であってよいが、好適には、繰り返し使用ができる材料であることが望ましく、布や、ナイロン等の合成繊維や、合成樹脂製のシートやダンボール等が好ましい。パネル材料の厚みや重量も、使用用途に合わせて自由に設計すればよい。【００１７】
長方形の側方壁部材１４，１５は、それぞれ側方壁部材１３側の外辺部から突出する凸状部１４ｂ，１５ｃを有しており、側方壁部材１３は切込み部１３ｂ，１３ｃを有する。側方壁部材１３，１４，１５を起立させたときに（図１の矢印Ｘ参照）、側方壁部材１４の突状部１４ｂを切込み部１３ｂに、一方の側方壁部材１５の突状部１５ｃを切込み部１３ｃに挿入する。これにより、側方壁部材１３、１４，１５は底部パネル１２を三方向から囲む壁部を形成する。【００１８】
図２は、本発明の第１実施形態のペット用具を組み立てる際の一工程を示す図である。【００１９】
上記したように、側方壁部材１３，１４，１５を起立させ、突状部１４ｂ，１５ｃをそれぞれ切込み部１３ｂ，１３ｃに挿入することで壁部が形成された状態が、図２に具体的に示されている。また、この図２では、側方壁部材１６が底部パネル１２の裏面側へ向けて（図２矢印Ｙ参照）、底部パネル１２との境界辺１６ａ（折り罫線）を軸として折り畳まれようとしている様子が示されている。なお、図２中の符号１１は、底部パネル１２上に敷かれた排泄用シート（一般に吸水性）を示している。【００２０】
次に、図３は、本発明の第１実施形態のペット用具の組み立てが完成した状態の外観斜視図である。【００２１】
側方壁部材１６（のパネル１６１）は、底部パネル１２の裏面側に敷かれた状態であり、パネル１６２は、側方壁部材１３の背面に接するように起立している。そして、パネル１６２に設けられた突状部１６２ａは、側方壁部材１３の所定箇所に設けられた切込み部１３ａに挿入されていることで、パネル１６が側方壁部材１３に対して固定されている。【００２２】
ペットは、壁部が形成されていない開口部の方向（図３の矢印Ｚ参照）から底部パネル１２上に進入し、底部パネル１２上を排泄場所として特定できるようになっている。【００２３】
図４は、本発明の第１実施形態のペット用具（１）を折り畳む際の一工程を示す図である。【００２４】
まず、側方壁部材１４，１５を（底部パネル１２上の）排泄用シート１１側へ折り畳むことで、該排泄用シート１１を押さえ込んでいる。続いて、側方壁部材１６を更にその上から折り畳むことで、排泄用シート１１を挟持するように被覆する。この状態での排泄用シート１１は、側方壁部材１４，１５，１６によって三方向から閉塞されている。【００２５】
次に、側方壁部材１３に設けられた切込み部１３ａに、側方壁部材１６を構成するパネル１６２に設けられた突状部１６２ａを挿入することで、側方壁部材１６を側方壁部材１１６に加え、側方壁部材１３側においても閉塞されることになるため、全方向（四方向）において抜け落ちの心配がなくなる。【００２６】
図５は、本発明の第１実施形態のペット用具を折り畳んだ状態で携帯（運搬）する場合の状態例を示す図である。【００２７】
図１以下の図面における符号１３ｄは、側方壁部材１３の外側辺１３１周辺に、略半円形に抜き打ち形成された手持ち部を示している。図５には、この手持ち部１３ｄを手Ｈで把持し、排泄用シート１１が内部に収容された状態のペット用具１を携帯している状態が示されている。収容されるシート１１は、使用前後のもののいずれでもよい。即ち、使用前のシート１１を収容して携帯、保管等し、使用後（ペットが排泄した後）のシート１１を収容して、そのまま持ち帰る等してもよい。【００２８】
なお、この図５からもわかるように、パネル１６１と１６２の合計長Ｌ１は、底部パネル１２（またはパネル１６１）と側方壁部材１３の合計長Ｌ２よりも短くなるように設計されている。この結果、手持ち部１３ｄが形成された面が露出するようになっている。【００２９】
図６は、本発明に係るペット用具の第２実施形態の展開図である。【００３０】
この第２実施形態に係わるペット用具２は、第１実施形態と同様に底部パネル２２とこれに四方で隣設する側方壁部材２３，２４，２５，２６を有している。以下では、第１実施形態と異なる部分を特に説明し、共通部分の説明は割愛する。【００３１】
ペット用具２では、底部パネル２２を挟んで対向する位置にある側方壁部材２４や２５が、それぞれ二枚折りが可能な構成となっていることが特徴の一つである。より具体的には、側方壁部材２４は、折り罫線２４ａを挟んだ二枚のパネル２４１と２４２とからなり、一方の側方壁部材２５は、折り罫線２５ａを挟んだ二枚のパネル２４１，２５１の長さＤ１よりもやや長く形成されている（Ｄ２＞Ｄ１）。【００３２】
また、側方壁部材２４を構成するパネル２４２の外辺部２４２１には、更に外側に突出する突状部２４ｂが形成され、かつ該パネル２４２の側方壁部材２３側の外辺部２４２２にも更に外側に突出する突状部２４ｂが形成されている。一方の側方壁部材２５を構成するパネル２５２の外辺部２５２１にも、更に外側に突出する突状部２５ｅが形成され、かつ、該パネル２５２の側方壁部材２３側の外辺部２５２２においても、更に外側に突出する突状部２５ｃが形成されている。【００３３】
次に、底部パネル２２には、該底部パネル２２と側方壁部材２４との境界に位置する折り罫線２２１ａのやや内側位置に、該折り罫線２２１ａに沿って形成された細長の切込み部２２ｄが設けられている。同様に、底部パネル２２と側方壁部材２５との境界に位置する折り罫線２２１ｂのやや内側位置にも、該折り罫線２２１ｂに沿って形成された細長の切込み部２２ｅが設けられている。なお、図６において符号２３ｄは、手持ち部である（以下、同様）。【００３４】
図７は、本発明の第２実施形態のペット用具を組み立てる際の一工程を示す図、図８は、同ペット用具の組立てが完成した際の外観斜視図である。【００３５】
まず、側方壁部材２４を矢印Ｘ方向（図６参照）へ起立させた後、パネル２４２を内側方向（図７矢印Ｗ１参照）へ折り畳んで二つ折りにし、底部パネル２２の切込み部２２ｄに突状部２４ｄを挿入する。その際、ペット用の排泄用シート１１の一部（端縁部分）を下方へ押し込みながら突状部２４ｄを切込み部２２ｄに挿入することで、該シート１１を固定するようになっている（図８参照）。【００３６】
同様に、側方壁部材２５を矢印Ｘ方向（図６参照）へ起立させた後、パネル２５２を内側方向（図７矢印Ｗ２参照）へ折り畳んで二つ折りにし、底部パネル２２の切込み部２２ｅを突状部２５ｅへ挿入する。その際、ペット用の排泄用シート１１の一部（端縁部分）を下方へ押し込みながら突状部２５ｅを切込み部２２ｅに挿入することで該シート１１を固定するようになっている。【００３７】
図９は、ペット用の排泄用シートを折り込んだ状態の図８中のＡ−Ａ線で切断した部分断面図である。【００３８】
この図９では、側方壁部材２４を例として、排泄用シート１１の一部（端縁部分１１１）を下方へ押し込みながら突状部２４ｄを切込み部２２ｄへ挿入し、前記排泄用シート１１を固定する構成が具体的に示されている。なお、側方壁部材２５側においても同様であるので、これを示す図面は省略する。【００３９】
このような構成により、排泄用シート１１の両端が底部パネル２２上で固定されることから、排泄をしようとするペットが底部パネル２２上で動いても、シート１１がずれることがないので、ペットは落ち着いて排泄を行なうことができるので、好適である。【００４０】
図１０は、本発明に係るペット用具の第３実施形態（第１実施形態の変形例）の展開図である。なお、ここでは、第１実施形態（図１参照）との相違点のみを説明し、第１実施形態と同符号部分の説明は割愛する。【００４１】
図１０中に符号３で示されたペット用具は、側方壁部材１６が、底部パネル１２と同形状・サイズのパネル１６１と、側方壁部材１３と同形状・サイズのパネル１６３と、から構成されており、パネル１６１と１６３は、折り罫線１６１ａで二枚折り可能な構成となっている。【００４２】
また、ペット用具３を構成する側方壁部材１３にはスナップボタンＢ１が手持ち部１３ｄのやや情報に取り付けられている。一方、側方壁部材１６を構成するパネル１６３には、同パネル１６３が前記側方壁部材１３に対面した状態（図５と同様に折り畳まれた状態）のときに、前記スナップボタンＢ１と一致する箇所にスナップボタンＢ２が取り付けられている。【００４３】
前記スナップボタンＢ１とＢ２とは、例えば、雄部材と雌部材の関係となっており、軽く押圧することで吻合し、側方壁部材１３とパネル１６３（パネル１６）が固定される。このとき側方壁部材１３の手持ち部１３ｄとパネル１６３の手持ち部１６３ｄは、位置的に一致し、二つあわせて一つの手持ち部を形成する。【００４４】
なお、本発明において、切り抜きされた手持ち部１３ｄや１６３ｄを動物の口に見立ててデザイン化したり、スナップボタンＢ１，Ｂ２を動物の目や鼻に見立ててデザイン化したりして意匠的効果を演出してもよい。また、その他の箇所に何らかの意匠的要素（例えば、動物の腕や脚等）を付加するのは自由である（この点、いずれの実施形態でも同様）。また、各パネルに色や模様を付するのも自由である。【００４５】
図１１は、本発明に係るペット用具の第４実施形態（第１実施形態の他の変形例）の展開図である。なお、ここでは、第１実施形態（図１参照）との相違点のみを説明し、第１実施形態と同符号部分の説明は割愛する。【００４６】
図１１に示されたペット用具４は、側方壁部材１３と側方壁部材１６を構成するパネル１６４に、これらのパネルを互いに固定するための部材として、マジックテープ（登録商標）Ｍ１とＭ２，Ｍ３とＭ４を備えている。【００４７】
これらの二組のマジックテープ（登録商標）Ｍ１とＭ２，Ｍ３とＭ４を貼り合わせることによって、側方壁部材１６が底部パネル１２上に折り畳まれた際に、側方壁部材１３とパネル１６４とを互いに固定することができる。なお、このとき側方壁部材１３の手持ち部１３ｄとパネル１６４の手持ち部１６４ｄは、位置的に一致し、二つあわせて一つの手持ち部を形成する。【００４８】
なお、第３実施形態（３）や第４実施形態（４）に比較して、第１実施形態及び第２実施形態では、スナップボタンやマジックテープ（登録商標）を取り付けていないので、一枚の板材（パネル材）から一度の型抜き工程で、最終製品を形成できることから、加工賃を含むコスト面で有利である。一方、スナップボタンやマジックテープ（登録商標）等の固定手段は、第１実施形態や第２実施形態よりも耐久性の点で有利だろう。  【００４９】
図１２は、本発明に係るペット用具の第５実施形態の展開図である。【００５０】
この第５実施形態に係わるペット用具５は、底部パネル５２と、これに隣接する側方壁部材５３，５４，５５，５６を有している。以下では、第１実施形態（１）〜第４実施形態（４）と異なる部分を特に説明し、共通部分の説明は割愛する。【００５１】
ペット用具５では、底部パネル５２，側方壁部材５４，５５には、折り畳み線５２ｃ，５４ｃ，５５ｃがそれぞれ設けられている（図１２参照）。より具体的には、前記折り畳み線５２ｃ，５４ｃ，５５ｃに沿ってペット用具５を二つ折りすることで、携帯（運搬）に適した状態に折り畳むことができる。【００５２】
そして、側方壁部材５３は、パネル５３１，５３２，５３３から構成されている。前記パネル５３１と前記パネル５３２との境界には折り罫線５３ａが設けられている。また、前記パネル５３１と前記パネル５３３との境界には折り罫線５３ｂが設けられている。【００５３】
次に、側方壁部材５６は、パネル５６１，５６２，５６３から構成されている。前記パネル５６１と前記パネル５６２との境界には折り罫線５６aが設けられている。また、前記パネル５６１と前記パネル５５３との境界には折り罫線５６ｂが設けられている。【００５４】
また、側方壁部材５３を構成するパネル５３２にはスナップボタンB５３２が取り付けられている。一方、側方壁部材５５にもスナップボタンB５５１が取り付けられている。該スナップボタンB５５１は、パネル５３とパネル５５を起立させて、パネル５３２とパネル５５とを重ね合わせた際に前記スナップボタンB５３２と位置的に一致する箇所に取り付けられている。即ち、ペット用具５を組み立てる際に、起立したパネル５３２，５５をスナップボタンB５３２，B５５１を吻合させることで固定できる。【００５５】
同様に、側方壁部材５３を構成するパネル５３３にスナップボタンB５３３が設けられ、これに対応するスナップボタンとして、側方壁部材にスナップボタンB５４１が取り付けられている。そして、側方壁部材５６を構成するパネル５６２にスナップボタンB５６２が設けられ、これに対応するスナップボタンとして、側方壁部材５５にスナップボタンB５５２が取り付けられている。また、側方壁部材５６を構成するパネル５６３にスナップボタンB５６３が設けられ、これに対応するスナップボタンとして、側方壁部材５４にスナップボタンB５４２が取り付けられている。【００５６】
そして、パネル５３１，５６１には、それぞれ手持ち部５３ｄ，５６ｄが設けられている。前記手持ち部５３ｄと前記手持ち部５６ｄは、前記折り畳み線５２ｃ，５４ｃ，５５ｃに沿ってペット用具を折り畳んだ際に、位置的に一致し、二つあわせて一つの手持ち部を形成する。更に、その際の手持ち部５３ｄと手持ち部５６ｄとを固定するために、スナップボタンB５３１がパネル５３１に、スナップボタンB５６１がパネル５６１にそれぞれ設けられている。【００５７】
また、本発明において底部パネルや側方壁部材等を固着あるいは固定する手段は、特に限定されないが、好ましくは、複数回、前記底部パネルや側方壁部材や各種パネル等を脱着できる部材であることが望ましく、例えば、スナップボタンでもよいし、マジックテープ（登録商標）、マグネット、ホック（かぎ形等の形状を有する留め具）、両面テープ、再貼付可能（あるいは再剥離可能）な低接着性シール、粘着性のジェルや樹脂等を用いることができる。【００５８】
図１３は、本発明の第５実施形態のペット用具を組み立てる際の一工程を示す図、図１４は、同ペット用具の組み立てが完成した状態の外観斜視図である。【００５９】
まず、側方壁部材５４を矢印Ｘ´方向（図１３参照）へ起立させた後、パネル５３３を内側方向（図１３矢印Ｙ´参照）へ折り畳み、続いてパネル５３３を矢印Ｚ´方向（図１３参照）に起立させる。そして、スナップボタンＢ５３３とスナップボタンＢ５４１とを吻合させることによって、起立した前記パネル５４と前記パネル５３３とを固定する。【００６０】
同様に、側方壁部材５４を矢印Ｘ´方向（図１３参照）へ起立させた後、パネル５３２を内側方向（図１３矢印Ｙ´参照）へ折り畳み、続いてパネル５３２を矢印Ｚ´方向（図１３参照）に起立させる。そして、スナップボタンＢ５４２とスナップボタンＢ５６３とを吻合させることによって、起立した前記パネル５４と前記パネル５６３とを固定する。【００６１】
そして、側方壁部材５５を矢印Ｘ´方向（図１３参照）へ起立させた後、パネル５３２を内側方向（図１３矢印Ｙ´参照）へ折り畳み、続いてパネル５３２を矢印Ｚ´方向（図１３参照）に起立させる。そして、スナップボタンＢ５３２とスナップボタンＢ５５１とを吻合させることによって、起立した前記パネル５５と前記パネル５３２とを固定する。【００６２】
同様に、側方壁部材５５を矢印Ｘ´方向（図１３参照）へ起立させた後、パネル５６２を内側方向（図１３矢印Ｙ´参照）へ折り畳み、続いてパネル５６２を矢印Ｚ´方向（図１３参照）に起立させる。そして、スナップボタンＢ５５２とスナップボタンＢ５６２とを吻合させることによって、起立した前記パネル５５と前記パネル５６２とを固定する。【００６３】
そして、組み立てが完成したペット用具５（図１４参照）は、側方壁部材５３，５４，５５，５６を起立させて互いに固定させることで、底部パネル５２を四方向より囲いこんだ状態となるため、より強度に優れた箱状のペット用具とすることができる。従って、ペットのトイレ用シート以外にも、トイレ用の砂やチップ等を底部パネル５２上に敷き詰めて使用することもできる。特に、第１実施形態（１）〜第４実施形態（４）と比較して、第５実施形態（５）は箱状の形状をより強固に形成できる点において好適である。【００６４】
更に、パネル５３１，５６１の壁の高さ（Ｈ１）は、側方壁部材５４，５５の壁の高さ（Ｈ２）よりも高いため（Ｈ１＞Ｈ２）、前記パネル５３１，５６１を設けることで、足を上げて排泄をするペット（例えば、オスの犬等）の排泄物の飛散を効果的に防止できる。このように、本発明では、いずれかの側方壁部材の壁の高さを、他の側方壁部材の壁の高さよりも高くすることで、容易にペット用具内に進入できる（即ち、ペットがまたぎ易く、ペットの進入方向を指し示す）低い側方壁部材と、ペットの排泄物の飛散を効果的に防止できる高い側方壁部材と、を具備するペット用具とすることができるので、好適である。【００６５】
図１５は、本発明の第５実施形態のペット用具を折り畳んだ状態で運搬（携帯）する場合の状態例を示す図である。図１６は、同ペット用具を丸めた状態を示す図である。即ち、底部パネル又は前記側方部材群の所定位置（５２ｃ，５４ｃ，５５ｃ；図１３参照）で折り畳むか、ロール状に丸めることで収納状態として容易に運搬（携帯）することができるものである。【００６６】
図１２以下の図面における符号５３ｄ，５６ｄは、側方壁部材５３１，５６１に、略半円形に打ち抜き形成された手持ち部を示している。図１５には、折り畳み線５２ｃ，５４ｃ，５５ｃで二つ折りされたペット用具５について、前記手持ち部を手Ｈで把持した状態が示されている。【００６７】
そして、パネル５３２，５３３，５４，５５，５６２，５６３を、底部パネル５２で挟み込み、スナップボタンＢ５３１とスナップボタンＢ５６１を吻合することで、ペットが排泄したりすること等によって汚染されたパネル表面が露出することがないため、より衛生的であり、飼い主等の手も汚さないため快適かつ携帯性にも優れている。前記スナップボタンＢ５３１，Ｂ５６１については、吻合可能なように雄部材と雌部材との組合せになるように構成することが好ましい。【００６８】
更に、折り畳んだ状態のペット用具６（図１５参照）をロール状に丸めることで、よりコンパクトにして運搬（携帯）することができる。本発明において、ペット用具６に用いられる材質、材料等については特に限定されないが、好適には、ロール状に丸めても、そりが発生しない材質であることが望ましく、例えば、形状を記憶する材質や、丸めることができる程度の柔軟性を具備する材質であることが望ましく、好適には、布や合成樹脂等を用いることが望ましい。【００６９】
また、本発明において用いられる材料については特に限定されないが、好適には、撥水性・防水性を具備し、抗菌加工・消臭加工が施された材料であることが望ましく、例えば、プラスチック製の表面に別途コーティングを行なった材料でもよいし、前記撥水性・防水性・抗菌性等を具備する合成樹脂を直接使用してもよい。撥水性・防水性を具備する材料を使用することで、ペットの排泄物がパネル表面に付着しても、前記排泄物がパネルに浸透しない点で好適である。また、抗菌加工・消臭加工が施された材料を使用することで、ペット用具６がより衛生的とすることができる点で好適である。【００７０】
図１７は、本発明の第６実施形態に係るペット用具の上面図である。図１８は同ペット用具を組み立てる際の一工程を示す図である。図１９は、同ペット用具の組み立てが完成した際の外観斜視図である。なお、ここでは、第１実施形態（１）〜第５実施形態（５）との相違点のみを説明し、特に第５実施形態（５）と同符号部分の説明は割愛する。【００７１】
ペット用具６は、底部パネル６２に隣設された側方壁部材６３１，６４，６５，６６１が起立している箱状の形状があらかじめ形成されているペット用具である（図１７，図１８等参照）。そして、側方壁部材６３２，６６２も底部パネル６２に隣設されている（図１８参照）。本実施形態に係るペット用具は箱状の形状をあらかじめ形成しておくため、第１実施形態（１）〜第５実施形態（５）に係るペット用具と比較してペット用具の強度の点で優れている。【００７２】
そして、ペット用具６を組み立てる工程について図１８を参照しながら説明する。まず、底部パネル６２に隣設された側方壁部材６３１，６４，６５，６６１は起立して四方向に一体に形成されており、底部パネル６２を四方向から囲う状態を形成している（箱状の形状）。また、前記底部パネルの対向する２辺には、側方壁部補強材６３２，６６２が更に隣設されている。該側方壁部補強材６３２，６６２を矢印Ｚ´´方向（図１８参照）に起立させてペット用具６を組み立てる（図１８、図１９参照）。【００７３】
また、底部パネル６２には折り畳み線６２ｃが設けられている。そして、側方壁部材６４には切込み線６４ａと上方に略Ｖ字状の切込み部Ｖが設けられている（図１８参照）。同様に、側方壁部材６５にも切込み線６５ａと切込み部Ｖが設けられている（図１８参照）。これらを有することで、ペット用具６を図１８の状態から前記折り畳み線５２ｃで二つ折りできる。この切込み線６４ａと切込み部Ｖを設けたことにより側方壁部材６４も円滑に倒伏できる。同様に、切込み線６５ａと切込み部Ｖを設けたことにより側方壁部材６５も底部パネル側に容易に倒伏することができる（図１８矢印Ｕ参照）。【００７４】
従って、ペット用具６は、前記底部パネルを囲う状態（図１８，１９等参照）と、前記底部パネル側に倒伏した状態（折り目線６２ｃに沿って矢印Ｕ（図１８参照）に倒伏させた状態）と、の両方を取り得ることができるため、側方部材群等を展開する必要がなく、容易に使用状態と収納状態をとることでき、かつ強度においても優れている。【００７５】
そして、本発明では、前記切込み線６４ａ，６５ａについては、底部パネル６２、側方壁部材６４，６５を容易にかつ円滑に折り畳むことができればよいため、切込み線の代わりにマチや折り目等を設けても良い。また、本発明では、前記切込線６４ａと切込み部Ｖを設けることに限定されず、前記底部パネルを倒伏させることができればよく、例えば、前記切込線６４ａや切込み部Ｖを設ける代わりに、柔軟性に富んだ合成樹脂等を材料として用いてもよい。【００７６】
更に、側方壁部材６４には、２本の補強材６４１ｂ，６４２ｂが設けられている。同様に、側方壁部材６５にも２本の壁部材が設けられている（うち１本は６５２ｂ；図１８参照）。同様に、側方壁部材６３１にも２本の補強材が設けられている（うち１本は６３１２ｂ；図１８参照）。側方壁部材６６１にも２本の補強材６６１１ｂ，６６１２ｂが設けられている。このように補強材を側方壁部材群に設けることで、底部パネル６２と側方壁部材６３１，６４，６５，６６１から形成される使用形態の形状をより強固にすることができ、ペット用具の形崩れを防止できる点で好適である。【００７７】
また、図示はしないが、前記補強材を挿入するためのポケットを側方壁部材に設けることもできる。これにより、ペット用具として使用する際には前記補強材を前記ポケットに挿入し、ペット用具として使用しない場合には前記補強材を前記ポケットから抜き出して容易に折り畳むことができる。また、本発明において、前記補強材を側方壁部材のどの部分にあてがうかについては限定されず、ペット用具６の箱状の形崩れを防止できればよい。【００７８】
図２０は、本発明に係るペット用具の第７実施形態（第５実施例の変形例）を折り畳んで携帯する際の一例を示した図であり、図２１は、同ペット用具をロール状に丸めた状態を示す図である。なお、ここでは、第５実施形態（図１２〜図１６）参照との相違点のみを説明し、第５実施形態と同符号部分の説明は割愛する。【００７９】
図２０中、符号７で示されたペット用具は、持ち手部７１ｄが側方壁部材５３１に設けられ、持ち手部７２ｄが側方壁部材５６１に設けられた構成となっている。そして、図２０に示されるようにペット用具７が折り畳まれた収納状態で、前記持ち手部７１ｄ，７２ｄを手Ｈで把持して持ち運び容易とする構造である。また、ペット用具７をロール状に丸めた収納状態についても同様に、前記持ち手部７１ｄ，７２ｄを手Ｈで把持することで、容易に持ち運ぶことができる。【００８０】
打抜き形成された持ち手部である第５実施形態（５）と比較して、第６実施形態では、手Ｈと接触する部分が適度に丸みを帯びており、接触面積も広いため、長時間把持することが容易であり、握る際にも痛くなることがない点で有利であろう。従って、本発明では、持ち手部の形状や形成方法については特に限定されず、側方壁部材等を打ちぬくことで形成された持ち手部等でもよいし（図１５等参照）、前記側方壁部材に新たに把手等を接着することで形成された持ち手部でもよく（図２０等参照）、ペット用具の耐久性や生産コスト等を考慮して適宜決定することができる。また、前記持ち手部７１ｄ，７２ｄの長さについても特に限定されず、肩などにかけて持ち運びしたい場合には長くすることもできる。
【産業上の利用可能性】
【００８１】
本発明は、携帯が容易であり、組立ても簡易なペット用具として利用することができる。排泄用シートの収容用具としても利用できる。
【図面の簡単な説明】
【００８２】
【図１】本発明の第１実施形態に係るペット用具（１）の展開図である。
【図２】同ペット用具（１）を組み立てる際の一工程を示す図である。
【図３】同ペット用具（１）の組み立てが完成した際の外観斜視図である。
【図４】同ペット用具（１）を折り畳む際の一工程を示す図である。
【図５】同ペット用具（１）を折り畳んで携帯する際の一例を示す図である。
【図６】本発明の第２実施形態に係るペット用具（２）の展開図である。
【図７】同ペット用具（２）を組み立てる際の一工程を示す図である。
【図８】同ペット用具（２）の組み立てが完成した際の外観斜視図である。
【図９】図８におけるＡ−Ａ線で切断した部分断面図である。
【図１０】本発明の第３実施形態に係るペット用具（３）の展開図である。
【図１１】本発明の第４実施形態に係るペット用具（４）の展開図である。
【図１２】本発明の第５実施形態に係るペット用ベッド（５）の展開図である。
【図１３】同ペット用具（５）を組み立てる際の一工程を示す図である。
【図１４】同ペット用具（５）の組み立てが完成した際の外観斜視図である。
【図１５】同ペット用具（５）を折り畳んで携帯する際の一例を示す図である。
【図１６】同ペット用具（５）をロール状に丸めた状態を示す図である。
【図１７】本発明の第６実施形態に係るペット用具（６）の上面図である。
【図１８】同ペット用具（６）を組み立てる際の一工程を示す図である。
【図１９】同ペット用具（６）の組み立てが完成した際の外観斜視図である。
【図２０】本発明の第７実施形態に係るペット用具（７）を折り畳んで携帯する際の一例を示す図である。
【図２１】同ペット用具（７）をロール状に丸めた状態を示す図である。
【符号の説明】
【００８３】
１〜７  ペット用具
１１  ペットの排泄用シート
１２，２２，５２，６２  底部パネル
１３，１４，１５，１６  側方壁部材
２３，２４，２５，２６  側方壁部材
５３，５４，５５，５６  側方壁部材
６３１，６３２，６４，６５，６６１，６６２  側方壁部材
１３ｄ，２３ｄ，１６３ｄ，１６４ｄ，５３ｄ，５６ｄ，６３ｄ，６６ｄ，７１ｄ，７２ｄ  手持ち部
２２ｄ，２２ｅ  切込み部
２４ｄ，２５ｅ  突出部
【図１】
2007029830.tif 000002
【図２】
2007029830.tif 000003
【図３】
2007029830.tif 000004
【図４】
2007029830.tif 000005
【図５】
2007029830.tif 000006
【図６】
2007029830.tif 000007
【図７】
2007029830.tif 000008
【図８】
2007029830.tif 000009
【図９】
2007029830.tif 000010
【図１０】
2007029830.tif 000011
【図１１】
2007029830.tif 000012
【図１２】
2007029830.tif 000013
【図１３】
2007029830.tif 000014
【図１４】
2007029830.tif 000015
【図１５】
2007029830.tif 000016
【図１６】
2007029830.tif 000017
【図１７】
2007029830.tif 000018
【図１８】
2007029830.tif 000019
【図１９】
2007029830.tif 000020
【図２０】
2007029830.tif 000021
【図２１】
2007029830.tif 000022
【国際調査報告】
2007029830.tif 000023
2007029830.tif 000024
2007029830.tif 000025
2007029830.tif 000026